(57)【要約】【課題】庫内照明の機能を品質低下させることなく高めた冷蔵庫の提供。【解決手段】冷蔵庫本体１の貯蔵室３、４の側壁面に照明ユニット８を設け、この照明ユニットのカバー１４は貯蔵室の開口前端面まで廻り込む前面カバー部１４ａを設けるとともに、冷蔵庫本体側の台座１１に係合させる係合リブ１５をカバーの側面カバー部１４ｂに設けてある。そして、上記係合リブを台座へ係合させることによりカバーの前面カバー部１４ａを貯蔵室の開口前端面側に引き込む構成としてある。これにより扉を開いたときに貯蔵庫内だけでなく貯蔵室の開口前端面まで明るくすることができるとともに、前面カバー部の浮きや斑紋発生を防止でき、品質低下させることなく庫内照明の機能を高めることができる。【選択図】図８
2018146201.tif 000002
【特許請求の範囲】
【請求項１】
開口を有する貯蔵室を形成する内箱と、冷蔵庫本体の外郭を形成する外箱と、照明ユニットとを備え、前記内箱は、前記貯蔵室の開口の周囲に設けられた前端面と、前記貯蔵室の側壁面に設けられた開口部とを有し、前記照明ユニットは、前記開口部の外箱側に設けた台座と、前記台座に設けた照明基板と、カバーとを有し、前記カバーは、前記開口部を覆う側面カバー部と、前記前端面まで廻り込む前面カバー部と、前記カバーを前記台座に係合させるための係合リブとを有し、前記係合リブは、前記前面カバー部と反対方向に傾斜させて、前記側面カバー部に設けた冷蔵庫。
【請求項２】
前記内箱は、前記貯蔵室の開口側の側壁面に、前記貯蔵室の開口側に向って広がる傾斜面を有し、前記照明基板からの光を、前記傾斜面と前記側面カバー部との間を通して、前記前面カバー部に照射可能とした請求項１に記載の冷蔵庫。
【請求項３】
前記貯蔵室は、複数の貯蔵室に区画され、前記照明基板は前記複数の貯蔵室のそれぞれに設けられ、前記台座は、前記複数の貯蔵室に跨って設けられる請求項１または２に記載の冷蔵庫。
【請求項４】
前記カバーは、前記複数の貯蔵室に跨って設けられる請求項１〜３のいずれか１項に記載の冷蔵庫。
【発明の詳細な説明】
【技術分野】
【０００１】
本発明は冷蔵庫に関し、特にその庫内照明構成に関するものである。
【背景技術】
【０００２】
一般に冷蔵庫は扉を開けたとき貯蔵室内の視認性を向上させるために庫内照明が設けてある（例えば、特許文献１参照）。
【０００３】
図１１は上記特許文献１に記載された冷蔵庫を示し、１０１は冷蔵庫本体、１０２は冷蔵庫本体１内に設けた貯蔵室、１０３は上記貯蔵室１０２を開閉する扉、１０４は前記扉１０３を開けたとき点灯して貯蔵室１０２内を照らす照明ユニットで、貯蔵室１０２の両側壁前端部分に縦接してある。
【０００４】
上記照明ユニット１０４は図１２に示すように貯蔵室１０２側壁のスリット開口１０５にＬＥＤ付照明基板を保持した台座１０６を埋め込み、この台座１０６に光透過性のカバー１０７を装着して構成してある。
【先行技術文献】
【特許文献】
【０００５】
【特許文献１】特許第５５２１００１号公報
【発明の概要】
【発明が解決しようとする課題】
【０００６】
上記特許文献１に記載の冷蔵庫は、扉１０３を開けると照明ユニット１０４が点灯するので貯蔵室１０２内の視認性が向上し、使い勝手が良くなる。
【０００７】
しかしながら、この照明ユニット１０４は、貯蔵室１０２内を照らすという庫内照明のみの機能しか持たない。
【０００８】
そこで出願人は上記照明ユニットのカバーを、貯蔵室の開口の周囲に位置する前端面まで廻り込ませる形にして、扉を開けたとき、貯蔵室の開口の周囲の前面部分まで明るくすることを試みた。
【０００９】
このように照明ユニットのカバーを貯蔵室の前端面まで廻り込ませると、扉を開けたときの貯蔵室の開口の前面部分を明るくすることができ、冷蔵庫のイメージを大きく変えることができる。しかも、貯蔵室の開口の前面部分が明るくなることによって冷蔵庫の設置場所付近を明るくすることができ、部屋の照明を消したまま食品の出し入れをしようとしたときの利便性が向上する等、実用的な面でも効果がある。
【００１０】
ところが、上記のように構成した照明を実現するためには、例えば、カバーの前端面に廻り込む部分に、台座等に圧入固定するための係合リブを設ける必要がある。しかし、カバーの前端面に廻り込む部分に、係合リブを設けると、カバーを前面側からみたときに、係合リブの根元部分が他の部分に比べて部分的に暗くなり、斑紋が生じて意匠性が悪くなってしまう。
【００１１】
この問題を解決するためには係合リブをカバーの側面部分に設けて側面部分を台座に取付けるようにすればよい。しかしながら、このような構成、すなわち、カバーの側面部分を台座に固定する構成にすると、貯蔵室の前端面に廻り込ませた部分が貯蔵室の前端面か
ら浮いたりして、品質がばらつくという、という課題が生じてしまう。
【００１２】
本発明はこのような点に鑑みなしたもので、貯蔵室の前端面に廻り込む部分のカバーの浮きによる品質バラツキを解消して、庫内照明の機能を高めた冷蔵庫を提供することを目的としたものである。
【課題を解決するための手段】
【００１３】
本発明は上記目的を達成するため、開口を有する貯蔵室を形成する内箱と、冷蔵庫本体の外郭を形成する外箱と、照明ユニットとを備え、前記内箱は、前記貯蔵室の開口の周囲に設けられた前端面と、前記貯蔵室の側壁面に設けられた開口部とを有し、前記照明ユニットは、前記開口部の外箱側に設けた台座と、前記台座に設けた照明基板と、カバーとを有し、前記カバーは、前記開口部を覆う側面カバー部と、前記前端面まで廻り込む前面カバー部と、前記カバーを前記台座に係合させるための係合リブとを有し、前記係合リブは、前記前面カバー部と反対方向に傾斜させて、前記側面カバー部に設けた構成としてある。
【００１４】
これにより、照明ユニットを覆うカバーの前面カバー部は、貯蔵室の前端面に圧接され、前端面から浮くことを抑制できる。また、カバーを取り付ける係合リブは側面カバー部に設けているので、前面カバー部に係合リブを設けた場合のような係合リブによる斑紋も防止できる。よって、前面カバー部の浮きや係合リブによる斑紋の課題を解消しつつ貯蔵室の前端面までを明るくして冷蔵庫のイメージを一新し、かつ、利便性を高めることができる。
【発明の効果】
【００１５】
本発明は、上記構成によって、品質バラツキの問題を解消して庫内照明の機能を高めた冷蔵庫を提供することができる。
【図面の簡単な説明】
【００１６】
【図１】本発明の実施の形態１における冷蔵庫の外観斜視図
【図２】同冷蔵庫の半裁斜視図
【図３】同冷蔵庫の扉を開けて底面側から見た斜視図断面図
【図４】同冷蔵庫の扉の斜視図
【図５】同冷蔵庫の壁面ユニットを貯蔵室側から見た分解斜視図
【図６】同冷蔵庫の内箱の斜視図
【図７】同冷蔵庫の内箱側面に設けた庫内照明の斜視図
【図８】図７のＡ−Ａ断面図
【図９】同冷蔵庫の天井面に設けた庫内照明の半裁斜視図
【図１０】同冷蔵庫の天井面に設けた庫内照明の拡大断面図
【図１１】従来の冷蔵庫を示す斜視図
【図１２】同従来の冷蔵庫の内箱を示す斜視図
【発明を実施するための形態】
【００１７】
第１の発明は、開口を有する貯蔵室を形成する内箱と、冷蔵庫本体の外郭を形成する外箱と、照明ユニットとを備え、前記内箱は、前記貯蔵室の開口の周囲に設けられた前端面と、前記貯蔵室の側壁面に設けられた開口部とを有し、前記照明ユニットは、前記開口部の外箱側に設けた台座と、前記台座に設けた照明基板と、カバーとを有し、前記カバーは、前記開口部を覆う側面カバー部と、前記前端面まで廻り込む前面カバー部と、前記カバーを前記台座に係合させるための係合リブとを有し、前記係合リブは、前記前面カバー部と反対方向に傾斜させて、前記側面カバー部に設けた構成としてある。
【００１８】
これにより、照明ユニットを覆うカバーの前面カバー部は、貯蔵室の前端面に圧接され、前端面から浮くことを抑制できる。また、カバーを取り付ける係合リブは側面カバー部に設けているので前面カバー部に係合リブを設けた場合のような係合リブによる斑紋も防止できる。よって、前面カバー部の浮きや係合リブによる斑紋の課題を解消しつつ貯蔵室の前端面までを明るくすることができ、冷蔵庫のイメージを一新する等のことができる。
【００１９】
第２の発明は、第１の発明において、前記内箱は、前記貯蔵室の開口側の側壁面に、前記貯蔵室の開口側に向って広がる傾斜面を有し、前記照明基板からの光を、前記傾斜面と前記側面カバー部との間を通して、前記前面カバー部に照射可能とした構成としてある。
【００２０】
これにより、貯蔵室の開口側の壁面を傾斜させるという簡単な構成によって、貯蔵室の前端面に廻り込んだカバーの前面カバー部を明るくすることができる。このため、構成の簡素化を図って、貯蔵室の開口の周囲の前面部分まで明るくする冷蔵庫を、安価に提供することができる。
【００２１】
第３の発明は、第１または第２の発明において、前記貯蔵室は、複数の貯蔵室に区画され、前記照明基板は前記複数の貯蔵室のそれぞれに設けられ、前記台座は、前記複数の貯蔵室に跨って設けられる。
【００２２】
これにより、貯蔵室ごとに対応する照明基板は長尺の台座を一本取付けるだけで組み込むことができ、生産性を向上させることができる。
【００２３】
第４の発明は、第３の発明において、前記カバーは、前記複数の貯蔵室に跨って設けられる。
【００２４】
これにより、カバーの取付けについても、長尺のカバーを一本取付けるだけで済むので生産性を向上させることができる。また、前面カバー部も連続的なものとなるので、意匠的にも優れる。
【００２５】
以下、本発明の実施の形態について、システムキッチンに組み込んで使用されるワイン保存用の冷蔵庫を例にして図面を参照しながら説明する。なお、この実施の形態によって本発明が限定されるものではない。
【００２６】
（実施の形態１）
まず図１〜図５を用いて冷蔵庫の全体構成を説明する。
【００２７】
図１は本発明の実施の形態１における冷蔵庫の外観斜視図、図２は同冷蔵庫の半裁斜視図、図３は同冷蔵庫の扉を開けて底面側から見た斜視図断面図、図４は同冷蔵庫の扉の斜視図、図５は同冷蔵庫の壁面ユニットを貯蔵室側から見た分解斜視図である。
【００２８】
図１〜図５において、本実施の形態の冷蔵庫は、冷蔵庫本体１内に簡易な仕切板２を設けて上下二つの貯蔵室３、４が区画形成してあり、更にこの各貯蔵室３、４内にはワインボトル等を載せる棚５が設置してある。
【００２９】
上記冷蔵庫本体１は、図２に示すように、前方を開口する金属製（例えば鉄板）の外箱６と、硬質樹脂製（例えばＡＢＳ製）の内箱７と、これら外箱６と内箱７との間に発泡充填した硬質ウレタン等の発泡断熱材（図示せず）とで構成してある。
【００３０】
そして、上記冷蔵庫本体１の開口両側部及び天井面開口部分には、図３に示すように貯蔵室３，４内を照射する照明ユニット８、９が設けてある。この照明ユニット８、９の構
成については後述する。
【００３１】
また、前記冷蔵庫本体１の各貯蔵室３、４の前面は、回動自在な扉２０によって開閉可能としてある。上記扉２０は、図４に示すように、この例ではアルゴンガス等の断熱性ガスを封入した三重のガラス板ユニット等からなる中央板２１を有し、断熱扉として作用しつつ貯蔵室３，４内を外部から目視できるようにしてある。なお、上記扉２０には把手２２が設けてある。
【００３２】
さらに、前記扉２０の上部略中央には前記各貯蔵室３、４の温度の設定と表示を行う操作表示部２３が設けてある。この操作表示部２３は扉２０の前面側からタッチすることによって操作でき、表示内容は前方から視認できるようになっている。
【００３３】
また、上記冷蔵庫本体１の背面には冷却室２５が設けてあり、冷却器２６と冷却ファン２７が設置してある。冷却器２６は冷蔵庫本体１下部の機械室２８に組み込んだ圧縮機２９で圧縮した冷媒の蒸発により冷却室２５内で冷気を生成する。また、冷却ファン２７は、上記冷却室２５で生成した冷気を前記各貯蔵室３、４に供給し、その後冷却室２５に回収して再び各貯蔵室３、４へと循環させる。
【００３４】
そして、図５に示すように上記各貯蔵室３、４に冷気を供給する第１吹出風路４７、第２吹出風路４８は、冷蔵庫本体１内に貯蔵室３、４を形成する壁面ユニット３０を利用してその内部に形成してある。すなわち、壁面ユニット３０は、冷却室側壁面板３２と貯蔵室側壁面板３１を組み合わせて構成してあり、その内面に設けた風路形成用リブ４５、４６によって前記第１吹出風路４７、第２吹出風路４８が形成してある。
【００３５】
なお、図中、３６は冷却ファン２７からの冷気を開閉制御するダンパ装置、４３、４４はダンパ装置３６からの冷気を前記第１吹出風路４７、第２吹出風路４８へと案内する第１透孔及び第２透孔、５１ａ、５１ｂは冷気の吹出し口、５２ａ、５２ｂは冷気の戻り口である。また、冷却ファン２７は多翼ファン２７ａとこれを覆うファンガイド４２からなり、ファンガイド４２は前記ダンパ装置３６を一体に覆っている。
【００３６】
次に図６〜図１０を用いて照明ユニット８、９の構成を説明する。
【００３７】
図６は冷蔵庫の内箱の斜視図、図７は同冷蔵庫の内箱側面に設けた庫内照明の斜視図、図８は図７のＡ−Ａ断面図、図９は同冷蔵庫の天井面に設けた庫内照明の半裁斜視図、図１０は同冷蔵庫の天井面に設けた庫内照明の拡大断面図である。
【００３８】
まず、冷蔵庫本体１の開口両側部に設けた照明ユニット８について図６〜図８を用い説明する。
【００３９】
冷蔵庫本体１の内箱７の側壁面のうち、開口側の部分、すなわち各貯蔵室３、４の開口側壁面には、図８の仮想線Ｙで示すように、前方に向って広がる傾斜面１７が設けられている。傾斜面１７には、図６に示すように上下方向に細長いスリット状の開口部１０が設けてある。
【００４０】
一方、上記開口部１０に組み込む照明ユニット８は、上記貯蔵室３、４の開口部１０の裏面側（発泡断熱材側）に位置する台座１１と、この台座１１に装着した照明基板１２と、ＬＥＤ１３の前面を覆うカバー１４とを備えている。照明基板１２は、上下方向に列設した複数の発光体、例えば、ＬＥＤ１３を備えている。なお、照明基板１２が備える発光体は、ＬＥＤでなくてもよく、電球であってもよい。
【００４１】
台座１１は貯蔵室３、４の各開口部１０、１０に跨る長さとしてあり、各開口部１０、１０の裏面側に位置して当該各開口部１０、１０を塞いでいる。そして、上記台座１１には複数のカバー装着用の複数の保持穴１６が上下方向に所定の間隔で、列設してある。
【００４２】
また、カバー１４は、断面略Ｌ字状の透光性を有する樹脂部品である。カバー１４は、前面カバー部１４ａと側面カバー部１４ｂとを備えている。前面カバー部１４ａは、内箱７の前端面７ａまで回り込んで、前端面７ａを覆う。側面カバー部１４ｂは、各貯蔵室３、４の開口側壁面を覆う。側面カバー部１４ｂは、傾斜面１７の主要部を覆うことが望ましい。
【００４３】
前記貯蔵室３、４の開口側壁面が傾斜面１７となっていることにより、内箱７とカバー１４との間に空間部１８が形成される。ＬＥＤ１３からの光は、空間部１８を介して、前面カバー部１４ａに照射可能となる。
【００４４】
また、上記カバー１４の背面側には前記台座１１に取付けるための複数の係合リブ１５が列設してある。この係合リブ１５は特に側面カバー部１４ｂの背面側に設けてある。そして、カバー１４は上記係合リブ１５を照明基板１２の前方側から前記台座１１の保持穴１６に嵌め込むことによって台座１１に取り付けてある。つまり、台座１１とカバー１４とで、内箱７の開口部１０の縁を挟み込んでいる。
【００４５】
また、上記カバー１４の係合リブ１５は、その先端部が、貯蔵室３，４の奥方向に向かって傾斜するように設けてある。言い換えると、係合リブ１５は、前端面７ａ側とは反対側に傾斜させて設けてある。係合リブ１５は、台座１１の保持穴１６へ嵌合することによって、図８の矢印Ｚで示すように、前面カバー部１４ａを貯蔵室３、４の前端面７ａ側に向って引き込むようにしてある。
【００４６】
なお、上記カバー１４も台座１１と同様各貯蔵室３、４の開口部１０、１０を連続的に覆う長さとしてある。
【００４７】
次に冷蔵庫本体１の天井面開口部分に設けた照明ユニット９について図９、図１０を用い説明する。
【００４８】
内箱７の天井面の前端部分には、前方を開放した凹部９ａが設けてある。凹部９ａの下面は、台座板体９１によって覆われている。凹部９ａの前面は、前板９６によって覆われている。
【００４９】
照明ユニット９は、図１０に示すように、台座板体９１に設けられている。照明ユニット９は、前記台座板体９１の凹所９１ａに組み込んだ照明基板９２と、前記照明基板９２の前方を覆う如く前記凹所９１ａに装着したカバー９４とを備えている。照明基板９２は、冷蔵庫本体の幅方向に列設した複数のＬＥＤ９３を備えている。
【００５０】
台座板体９１は、天井壁面を構成する如く幅広に形成されている。台座板体９１は、略水平な面である前面側部と、貯蔵室３、４の奥方向にいくにしたがって、上方に向かうように傾斜する背面側部とを備えている。凹所９１ａは、背面側部に設けられている。このため、照明ユニット９も、貯蔵室３、４の奥方向を照らすように傾斜して、設けられている。
【００５１】
上記台座板体９１と前板９６とは、貯蔵室３、４の前面部で接している。前板９６、凹部９ａの壁面、台座板体９１で囲まれる空間には発泡スチロール等の断熱材９７が装着してある。前板９６は、左右両端部をビス９８によって冷蔵庫本体１の外箱６に取り付け固
定してある。つまり、ビス９８を外せば、前板９６と台座板体９１、および、断熱材９７は、冷蔵庫本体１から取り外し可能である。
【００５２】
以上のように構成した冷蔵庫において、以下その照明ユニットの作用効果について説明する。
【００５３】
まず、冷蔵庫本体１の側面に設けた照明ユニット８についてその作用効果を説明する。
【００５４】
この冷蔵庫本体１の側面に設けた照明ユニット８は、そのカバー１４に冷蔵庫本体１の開口前端面まで廻り込む前面カバー部１４ａが設けてあるので、扉２０を開けてＬＥＤ１３が点灯すると、前面カバー部１４ａが明るく光る。したがって、前面カバー部１４ａ、すなわち冷蔵庫本体１の前端面７ａが帯状に明るくなり、冷蔵庫に新しいイメージを与えることができる。また、冷蔵庫の設置場所付近を明るくすることができ、食品を出し入れする際の利便性が向上する。
【００５５】
ここで、上記カバー１４は係合リブ１５によって台座１１に取付けてあるが、上記係合リブ１５はカバー１４の側面カバー部１４ｂに設けてあるので、前面カバー部１４ａは当該前面カバー部１４ａに係合リブ１５を設けた場合のような斑紋が生じることが無く、その全域がほぼ均一に明るくなる。
【００５６】
また、上記係合リブ１５は傾斜させて設けてあるので、台座１１の保持穴１６に嵌合することにより前面カバー部１４ａを貯蔵室３、４の開口前端面側に向って引き込む。したがって、係合リブ１５を側面カバー部１４ｂに設けていても、前面カバー部１４ａは内箱７の前端面７ａに圧接するようになる。よって、前面カバー部１４ａが内箱７の前端面７ａから浮くことを抑制できる。このため、品質バラツキを大幅に低減し、かつ、歩留まりを向上させてコストダウンを図ることもできる。
【００５７】
つまり、前面カバー部１４ａの浮きや係合リブ１５による斑紋の課題を解消しつつ安価に貯蔵室３、４の開口の周囲に位置する前端面を明るくすることができ、冷蔵庫のイメージを一新し、かつ、利便性を高めることができる。
【００５８】
また、本実施の形態では、前記貯蔵室３、４の開口側壁面は前方に向って広がる傾斜面１７を備えている。そして、傾斜面１７と側面カバー部１４ｂとの間にＬＥＤ１３からの光を前方へ照射可能な空間部１８が形成される。したがって、貯蔵室３、４の開口側壁面を階段状にするなどの複雑な構成としてその間口を広げるようなことをしなくてもよく、内箱成型が容易になり、安価に提供することができる。
【００５９】
更に、上記台座１１は各貯蔵室３、４に跨る長さとして、上側貯蔵室３用の照明基板１２と、下側貯蔵室４用の照明基板１２をともに保持させてある。つまり、この台座１１を取り付けるだけで複数の照明基板１２を組み込むことができる。すなわち、組立工数を削減して生産性を向上させることができる。
【００６０】
また、カバー１４は、係合リブ１５を台座１１の保持穴１６に嵌め込むというだけの作業で取り付けることができ、その生産性は更に高いものとなる。
【００６１】
また、カバー１４は台座１１と同様に、貯蔵室３、４の上下方向の略全長に亘る長さとしているので、各照明基板１２それぞれに対応させて設ける場合に比べて、冷蔵庫本体１への取り付け工数を大幅に低減することができる。
【００６２】
しかも、前面カバー部１４ａも連続するので意匠的にも優れたものとすることができる
。特にこの前面カバー部１４ａは扉２０を開けると光るので、この光も連続的なものとなり、意匠的に更に優れたものとすることができる。
【００６３】
このようにこの冷蔵庫は、前面カバー部１４ａの浮きや係合リブ１５による斑紋の課題を解消し、扉２０を開いたとき貯蔵室３、４の前端面を明るくすることができ、冷蔵庫のイメージを一新し、かつ、利便性を高めることができる。
【００６４】
次に、冷蔵庫本体１の天井面に設けた照明ユニット９の作用効果について説明する。この天井面に設けた照明ユニット９は、内箱７の天井面の前端部分の凹部９ａに設置してあるから、庫内を明るくすることができる。
【００６５】
また、照明ユニット９が設けられた台座板体９１は、連接された前板９６とともに、ビス９８を外すことで、簡単に冷蔵庫本体１から取り外せる。このため、凹部９ａから、前板９６と台座板体９１、および、断熱材９７を取り外して、当該凹部９ａに、他の機能を有する部品、例えば前面側から操作可能な操作部表示部等を設けることができる。すなわち、冷蔵庫本体１の内箱７を共用化して異なる機能を持つ冷蔵庫とすることができる。したがって、一つの内箱で冷蔵庫の多機能化を推進することができる。又、台座板体９１は幅広形状として天井壁面を兼ねているので、構成の簡素化を図ることができ、安価に提供することができる。
【００６６】
以上、本発明に係る冷蔵庫について、上記実施の形態を用いて説明してきたが、本発明は、これに限定されるものではなく、本発明の目的を達成する範囲内で種々変更可能であることは言うまでもない。
【００６７】
例えばこの実施の形態の冷蔵庫はシステムキッチン等にビルトインされて使用されるワイン保存用の冷蔵庫としたが、ビルトインされることなく使用される冷蔵庫であってもよく、またワイン保存に適した冷蔵庫ではなく、食材を冷却保存する普通の冷蔵庫であってもよいものである。
【００６８】
また、この実施の形態では貯蔵室が二つの場合を例示したが、貯蔵室は二つ以上であってそのそれぞれの温度帯を異なるものとしてもよいものである。
【００６９】
以上のように、今回開示した実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００７０】
以上のように本発明は、品質低下させることなく庫内照明の機能を高めた冷蔵庫を提供することができる。よって、一般、業務用を問わず各種冷蔵庫に幅広く適用することができる。
【符号の説明】
【００７１】
１  冷蔵庫本体
２  仕切板
３  貯蔵室（上側貯蔵室）
４  貯蔵室（下側貯蔵室）
６  外箱
７  内箱
７ａ  前端面
８  照明ユニット
９  照明ユニット
１０  開口部
１１  台座
１２、９２  照明基板
１３、９３  ＬＥＤ
１４、９４  カバー
１４ａ  前面カバー部
１４ｂ  側面カバー部
１５  係合リブ
１６  保持穴
１７  傾斜面
１８  空間部
２０  扉
９１  台座板体
９６  前板
９７  断熱材
【図１】
2018146201.tif 000003
【図２】
2018146201.tif 000004
【図３】
2018146201.tif 000005
【図４】
2018146201.tif 000006
【図５】
2018146201.tif 000007
【図６】
2018146201.tif 000008
【図７】
2018146201.tif 000009
【図８】
2018146201.tif 000010
【図９】
2018146201.tif 000011
【図１０】
2018146201.tif 000012
【図１１】
2018146201.tif 000013
【図１２】
2018146201.tif 000014